(57)【要約】本発明は、小便器の足場を洗浄するための装置および対応する小便器の構成を提供する。この装置は、小便器（Ｕ）の下にある床（５０）の空隙（１ａ；１ａ’；１ｂ；１ｂ’）に嵌め込むための、可動の足場（５；１５）を備えたカートリッジ式の嵌め込み部材（３；１３；１３ａ）と、可動の足場（５；１５）を洗浄するための洗浄機構（８；１８；２１；２１ａ）のそばを通るように可動の足場（５；１５）を移動させ得る制御可能な駆動機構（７；１７）とを含んでいる。
2014531548.tif 000002
【特許請求の範囲】
【請求項１】
小便器（Ｕ）の下にある床（５０）の空隙（１ａ；１ａ’；１ｂ；１ｂ’）に嵌め込むための、可動の足場（５；１５）を備えたカートリッジ式の嵌め込み部材（３；１３；１３ａ）と、
洗浄機構（８；１８；２１；２１ａ）と、前記可動の足場（５；１５）を洗浄するために前記洗浄機構（８；１８；２１；２１ａ）のそばを通るように前記可動の足場（５；１５）を移動させ得る制御可能な駆動機構（７；１７）と
を備えた、小便器の領域における足場を洗浄するための装置。
【請求項２】
前記可動の足場（５；１５）がコンベアベルトとして具体化されている、請求項１に記載の装置。
【請求項３】
前記可動の足場（５；１５）が回転盤として具体化されている、請求項１に記載の装置。
【請求項４】
前記洗浄機構（８；１８；２１；２１ａ）は、拭き取り機構（９；２２）および乾燥機構（１１；２３）を備えている、請求項１に記載の装置。
【請求項５】
前記洗浄機構（１８）は旋回アーム（１８ａ）を備えている、請求項１に記載の装置。
【請求項６】
前記洗浄機構（８）および前記駆動機構（７；１７）の少なくとも一方は、少なくとも部分的に前記カートリッジ式の嵌め込み部材（３；１３；１３ａ）内に格納されている、請求項１乃至５のいずれか１項に記載の装置。
【請求項７】
利用者が足場（５；１５）にいるときは前記駆動機構（７；１７）を非アクティブ化するセンサー機構（１２；２７、２８）が設けられている、請求項１乃至６のいずれか１項に記載の装置。
【請求項８】
前記センサー機構（１２；２７、２８）は、前記足場（５；１５）に掛かっている重量を検出する重量センサー（１２）を備えている、請求項７に記載の装置。
【請求項９】
前記センサー機構（１２；２７、２８）は、前記小便器（Ｕ）の周辺領域（２９）を走査する放射線センサー（２７、２８）を備えている、請求項７または８に記載の装置。
【請求項１０】
据付け壁（１）に取り付けられた複数の小便器（Ｕ）と、対応する複数の、該小便器（Ｕ）の下にある床（５０）のそれぞれの空隙（１ａ；１ａ’；１ｂ；１ｂ’）に嵌め込まれた請求項１乃至９のいずれか１項に記載の装置とを含む小便器の構成。
【請求項１１】
前記空隙（１ａ；１ｂ）は、前記据付け壁（１）におけるそれぞれの貫通口（２ａ；２ｂ）を通り抜けて前記据付け壁（１）の後ろまで延びている、請求項１０に記載の小便器の構成。
【請求項１２】
それぞれの前記洗浄機構（８；１８；２１；２１ａ）および前記駆動機構（７；１７）の少なくとも一方は、少なくとも部分的に前記据付け壁（１）の後ろに格納されている、請求項１１に記載の小便器の構成。
【発明の詳細な説明】
【技術分野】
【０００１】
本発明は、小便器の足場を洗浄するための装置および対応する小便器の構成に関する。
【背景技術】
【０００２】
小便器の足場、つまり小便器鉢の下の床面は、経験上、尿が垂れ落ちることでひどく汚れる。その結果として生じる、特に公共施設のイメージを損なう視覚上のネガティブな外観を回避するため、トイレのその他の領域に比べ、より高い運用費を伴う洗浄に対するより高い要求が不可欠である。
【０００３】
小便器の領域におけるこれまでに知られている自動洗浄工程は、センサー制御により便器鉢自体を洗浄することに集中しており、この場合、便器鉢の利用後に洗浄段階が続く。その際、便器鉢の下にある床面の洗浄は行われない。
【０００４】
小便器鉢内のザル状の嵌め込み部材も、この嵌め込み部材の見た目が次第に見苦しさを増して不衛生な汚れが生じる点で、床の汚れが回避されるという部分的な解決をもたらすだけであった。
【０００５】
特許文献１は公衆トイレを開示しており、この場合、トイレユニットの下の床の空隙内に、洗浄ゾーンを通るように案内し得る可動の足場が内蔵されている。
特許文献２は、可動の足場と、洗浄機構と、足場を洗浄するための洗浄機構のそばを通るように可動の足場を移動させ得るセンサー制御可能な駆動機構とを備えた、小便器の領域における足場を洗浄するための装置を開示している。
【０００６】
これまでに知られているトイレ設備における自動床洗浄装置もまた、
・  装置の適用範囲が、洗面所の便器鉢の洗浄を出発点とし、すべてが整っている施錠可能でそれぞれ１人だけで利用可能なプレハブユニットトイレに集中していること、
・  洗浄システムは、公共の都市空間にある主に開放されている自動の洗面所設備に関しており、利用後すぐに必要な洗浄段階の間の時間は閉鎖されること、
・  たいていはプレハブユニットトイレ全体の構造部材である洗浄すべき床には、プレハブユニットトイレの床面全体が含まれ、つまり洗浄の際はプレハブユニットトイレの中に入れないこと、ならびに
・  本来の洗面所の個室の外に、機械設備室および洗浄ゾーンのために必要とされる追加的な空間が存在すること
を特徴としている。
【０００７】
（発明の開示）
本発明は、請求項１に記載の小便器の足場を洗浄するための装置および請求項１０に記載の小便器ｍｐ構成を提供する。
【０００８】
好ましい変形形態は、それぞれの従属請求項の対象である。
（発明の効果）
本発明は、小便器鉢を自動洗浄するだけでなく、複数の人が同時に通ったり利用したりできる自由に出入り可能な男性用公衆便所内の小便器の下の足場を的確に自動洗浄する洗浄装置を提供する。これにより床面全体の自動機械洗浄は必要なくなる。
【０００９】
これに関し、本発明によれば、個々の、カートリッジ式に交換可能にトイレの床の空隙に嵌め込み可能で自己洗浄する部材が必要であり、この部材は、金属製の靴ぬぐい格子または床排水口のように、表面を床に揃えてこの床の中に組み入れられるのが好ましく、この部材が、小便器鉢の下にある床領域が絶えず視覚的および衛生的に申し分のない状態にあることを保証する。
【００１０】
小便器の足場に交換可能な床洗浄カートリッジを適用することにより、現在の技術的に知られている自動床洗浄システムに対して下記の利点が生じる。
・  通常の建物設備内で適用することができ、つまり設置場所が公共の都市空間での別個の屋外領域に制限されない。
【００１１】
・  機械設備ゾーンおよび洗浄ゾーンのために必要とされる追加的な空間がない。
・  自由に出入り可能で複数の人が同時に通ったり利用したりできるトイレ領域内に適用することができる。
【００１２】
・  トイレ室の明確に定義された部分的な領域を的確かつ効果的に洗浄する。
・  部屋を支える部材としての機能を条件付けられた構造から洗浄要素が解放される。
・  あらゆる任意の床に対し、床の造りおよび材料組成に関係なく、かつ床スラブに必要な固定的な支持構造を侵害することなく、平らなカートリッジ式の改修要素を嵌め込むことができる。
【００１３】
・  材料選択および視覚的構成に関し、サニタリールーム床面の形態の自由度に制限がない。
・  新築の場合でも衛生措置の場合でも適用することができる。
【００１４】
・  洗浄段階中の部屋の閉鎖時間がなくなることにより、小便器を備えたトイレ室の利用可能時間が増える。
・  たいていずらりと並んだ複数の小便器ブースの構成のうちの１つの洗浄要素が故障しても運用がほとんど中断されないことにより、小便器を備えたトイレ室の運用の信頼性が増す。
【００１５】
・  カートリッジ式の洗浄要素は、使用場所でのこの部材の備蓄が可能であり、特別に訓練された職員なしで簡単に取り扱えることにより簡単に交換できるため、修理業務およびサービス業務が簡略化される。
【００１６】
・  洗浄措置を床の特にひどく汚れた領域に集中すること、高圧および高温の適用をほぼなくすこと、職員、洗浄剤、およびエネルギーのための費用が減ること、ならびに洗浄要素の可動の表面が宣伝広告の有用性が高いことにより、洗浄工程の経済性が高まる。
【００１７】
本発明によれば自動洗浄は、カートリッジ状の組込み要素が可動の足場を備えており、この足場が、小便器の利用後に洗浄領域に移動し得ることによって行われる。
可動の足場に関しては、下記の好ましい実施形態が提供されている。
【００１８】
１）  荷物輸送用および人輸送用のコンベアベルトとして知られている構造に似たコンベアベルトであり、据付け壁を横切ってまたは据付け壁に沿って洗浄機構へと移動することができ、この場合、洗浄は例えば小便器の据付け壁の後ろまたはカートリッジ内で行われる。
【００１９】
２）  丸い回転盤であり、そのうちの１つのセグメントが、メリーゴーラウンド式に移動しながら、小便器鉢の据付け壁の前または後ろにある固定設置された洗浄機構または可動の洗浄機構を通り抜けるように案内される。
【００２０】
洗浄時期を決定するために、有利にはセンサー（例えば重量センサーおよび／または光バリアおよび／または赤外線センサーなど）により制御が行われ、これにより、小便器の利用者が立ち去った後に初めて、洗浄ユニット内への足場の移動または足場内への洗浄アームの移動が起動され、かつ洗浄過程中に足を踏み入れた場合に、洗浄すべき面の移動が止まることを保証することができる。
【００２１】
以下に、実施形態に基づき、図を参照しながら、本発明のさらなる特徴および利点を説明する。
【先行技術文献】
【特許文献】
【００２２】
【特許文献１】独国特許発明第６９８１６５９１（Ｔ２）号明細書
【特許文献２】独国特許出願公開第１０２００８０３４０７２（Ａ１）号明細書
【図面の簡単な説明】
【００２３】
【図１ａ】本発明の実施形態に基づく小便器の足場を洗浄するための装置を収容するのに適した、トイレの床の異なる空隙の概略的な透視図。
【図１ｂ】本発明の実施形態に基づく小便器の足場を洗浄するための装置を収容するのに適した、トイレの床の異なる空隙の概略的な透視図。
【図２ａ】本発明の第１の実施形態に基づく小便器の足場を洗浄するための装置の概略図。
【図２ｂ】本発明の第１の実施形態に基づく小便器の足場を洗浄するための装置の概略図。
【図２ｃ】本発明の第１の実施形態に基づく小便器の足場を洗浄するための装置の概略図。
【図２ｄ】本発明の第１の実施形態に基づく小便器の足場を洗浄するための装置の概略図。
【図３ａ】本発明の第１の実施形態に基づく小便器の足場を洗浄するための装置の概略的な詳細図。
【図３ｂ】本発明の第１の実施形態に基づく小便器の足場を洗浄するための装置の概略的な詳細図。
【図３ｃ】本発明の第１の実施形態に基づく小便器の足場を洗浄するための装置の概略的な詳細図。
【図３ｄ】本発明の第１の実施形態に基づく小便器の足場を洗浄するための装置の概略的な詳細図。
【図４ａ】本発明の第２の実施形態に基づく小便器の足場を洗浄するための装置の概略図。
【図４ｂ】本発明の第２の実施形態に基づく小便器の足場を洗浄するための装置の概略図。
【図４ｃ】本発明の第２の実施形態に基づく小便器の足場を洗浄するための装置の概略図。
【図４ｄ】本発明の第２の実施形態に基づく小便器の足場を洗浄するための装置の概略図。
【図５ａ】本発明の第２の実施形態に基づく小便器の足場を洗浄するための装置の概略的な詳細図。
【図５ｂ】本発明の第２の実施形態に基づく小便器の足場を洗浄するための装置の概略的な詳細図。
【図５ｃ】本発明の第２の実施形態に基づく小便器の足場を洗浄するための装置の概略的な詳細図。
【図５ｄ】本発明の第２の実施形態に基づく小便器の足場を洗浄するための装置の概略的な詳細図。
【図６ａ】本発明の第３の実施形態に基づく小便器の足場を洗浄するための装置の概略的な詳細図。
【図６ｂ】本発明の第３の実施形態に基づく小便器の足場を洗浄するための装置の概略的な詳細図。
【図６ｃ】本発明の第３の実施形態に基づく小便器の足場を洗浄するための装置の概略的な詳細図。
【図６ｄ】本発明の第３の実施形態に基づく小便器の足場を洗浄するための装置の概略的な詳細図。
【図７ａ】本発明の第４の実施形態に基づく小便器の足場を洗浄するための装置の概略的な詳細図。
【図７ｂ】本発明の第４の実施形態に基づく小便器の足場を洗浄するための装置の概略的な詳細図。
【図７ｃ】本発明の第４の実施形態に基づく小便器の足場を洗浄するための装置の概略的な詳細図。
【図７ｄ】本発明の第４の実施形態に基づく小便器の足場を洗浄するための装置の概略的な詳細図。
【図８ａ】本発明の第５の実施形態に基づく小便器の足場を洗浄するための装置の概略的な詳細図。
【図８ｂ】本発明の第５の実施形態に基づく小便器の足場を洗浄するための装置の概略的な詳細図。
【図８ｃ】本発明の第５の実施形態に基づく小便器の足場を洗浄するための装置の概略的な詳細図。
【図８ｄ】本発明の第５の実施形態に基づく小便器の足場を洗浄するための装置の概略的な詳細図。
【図９ａ】本発明の第６の実施形態に基づく小便器の足場を洗浄するための装置の概略的な詳細図。
【図９ｂ】本発明の第６の実施形態に基づく小便器の足場を洗浄するための装置の概略的な詳細図。
【図９ｃ】本発明の第６の実施形態に基づく小便器の足場を洗浄するための装置の概略的な詳細図。
【発明を実施するための形態】
【００２４】
図１ａ、図１ｂは、本発明の実施形態に基づく小便器の足場を洗浄するための装置を収容するのに適した、トイレの床の異なる空隙の概略的な透視図である。
図１ａでは符号５０がトイレの床に付されている。１つまたは複数の（図１ａ、図１ｂでは図示されていない）小便器を取り付けるための据付け壁には符号１が付されている。
【００２５】
図１ａ、図１ｂでは例示的に、小便器の足場を洗浄するためのカートリッジ式の装置を収容し得る空隙１ａ、１ａ’、１ｂ、１ｂ’が示されている。
これに関し符号１ａは、据付け壁１の貫通口２ａを通り抜けて据付け壁の後ろまで延びている長方形の空隙に付されている。
【００２６】
空隙１ａ’も長方形であり、ただし据付け壁の手前までしか延びていないか、または据付け壁に直接接するところまでしか延びていない。
符号１ｂは、据付け壁１の貫通口２ｂを通り抜けて据付け壁の後ろまで延びている円形の空隙に付されている。
【００２７】
最後に符号１ｂ’は、据付け壁１の手前まで延びているか、または据付け壁１に直接接するところまで延びている円形の空隙に付されている。
空隙およびその中に収容されるべき洗浄装置の図示した形状はただの例であり、原理的には任意に形成可能であることを述べておく。
【００２８】
図２ａ〜図２ｄは、本発明の第１の実施形態に基づく小便器の足場を洗浄するための装置の概略図である。
図２ａに示したように、図１ａに示す空隙１ａにはカートリッジ容器２が嵌め込まれており、このカートリッジ容器には、本発明の第１の実施形態に基づく小便器の洗浄のための装置３が嵌め込まれている。貫通口２ａにより、装置３は据付け壁１の後ろにまで達しており、したがってそこに隠される機能要素を取り付けることができる。
【００２９】
このためのスペースがどのくらいあるのかは、据付け壁１とその後ろにある基礎構造壁１００との間隔ｄに基づいて決まる。
図１ａ〜図１ｄによる表示では、小便器の足場を洗浄するための装置は、概略的にその輪郭が示されているだけである。さらなる機能要素は以下で図３〜図９を参照しながら説明する。
【００３０】
詳しくは、図２ａは縦断面図を示し、図２ｂは図１Ａでの線Ａ−Ａ’に沿った幅方向断面図を示し、図２ｃは概略的な上面図を示し、図２ｄは装置３の透視図を示している。
図３ａ〜図３ｄは、本発明の第１の実施形態に基づく小便器の足場を洗浄するための装置の概略的な詳細図である。
【００３１】
図３ａ〜図３ｄでは、装置３の上方で据付け壁１に固定されている小便器に符号Ｕが付されている。
この場合、装置３は小便器Ｕに対し、小便器Ｕの利用者のための足場を形成するように位置合わせされている。
【００３２】
詳しくは、装置３は、ロール４上で案内されるコンベアベルト５を足場として備えており、このコンベアベルトは足場補強機構６によって支えられている。
コンベアベルト５は、例えばプラスチック材料からなることができる。装置３内には、据付け壁１の後ろの領域に、この実施形態では拭き取りシステム９と、吸湿力のある材料からなる乾燥ユニット１１とから構成されて符号８を付された洗浄ユニットがある。
【００３３】
図３ｃで概略的に示唆したように、装置３は、（図示されていない）モータ制御部を含むモータ７および洗浄液用の液体容器１０も備えている。
コンポーネント７、１０は、カートリッジ式の装置３の内部に設けることができ、またはこの例示的な実施形態でのように、カートリッジ式の装置から引き離して小便器Ｕのための据付け壁１の後ろに設けることができる。
【００３４】
符号１２は図３ａ〜図３ｄでは、コンベアベルト５上に小便器Ｕの利用者がいるかどうかを検出する重量センサーに付されている。
例えば、利用者がコンベアベルト５上に立っていることを重量センサー１２が検出している間は洗浄機能が非アクティブ化されているように、装置３を制御することができる。
【００３５】
利用者がコンベアベルト５を立ち去ると、例えば予め設定された一定の時間後に洗浄工程をスタートさせることができ、その際、コンベアベルト５は進行方向Ｌに移動し、拭き取りシステム９および乾燥ユニット１１からなる洗浄ユニット８のそばを通るように案内される。これに関し、新しい利用者に洗浄されたコンベアベルト５を提供するためには、コンベアベルト５の大きさに応じて３６０°の回転またはより小さい角度の回転が必要になり得る。
【００３６】
洗浄工程の継続中に早くも新しい利用者がコンベアベルト５上に立ち入ると、これを重量センサー１２が検出し、この新しい利用者を危険に曝さないよう洗浄工程が中断される。
【００３７】
図４ａ〜図４ｄは、本発明の第２の実施形態に基づく小便器の足場を洗浄するための装置の概略図である。
図２ａ〜図２ｄのように示した図４ａ〜図４ｄでは、第２の実施形態に基づく小便器の足場を洗浄するための装置に符号１３が付されている。
【００３８】
第１の実施形態とは異なり、据付け壁１には貫通口が設けられておらず、空隙１ａ’は、図１ａに示したように据付け壁１までしか達していないか、または（図示されていない）一実施形態では据付け壁１のある程度手前で終わることもできる。
【００３９】
図５ａ〜図５ｄは、本発明の第２の実施形態に基づく小便器の足場を洗浄するための装置の概略的な詳細図である。
図５ａ〜図５ｄに示したように、第２の実施形態に基づく小便器の足場を洗浄するための装置では、拭き取りシステム９および乾燥ユニット１１を備えた洗浄ユニット８が、床５０の中に入れられたカートリッジ式の装置１３内に格納されている。モータ７もカートリッジ内に格納されている。
【００４０】
図５ａ、図５ｂに示す変形例では、これらのコンポーネントは小便器Ｕの下で正面に設けられており、この場合の進行方向Ｌは、図３における進行方向Ｌのように、洗浄工程中に小便器Ｕの方に進む。
【００４１】
これとは違い図５ｃ、図５ｄに示す変形例では、コンポーネント７、８、９、１０は、横側でカートリッジ式の装置１３内に設けられており、この場合、進行方向Ｌ’も横側に、つまり据付け壁１に平行に進む。
【００４２】
その他の点では、これらのコンポーネントは上で既に図３ａ〜図３ｄに関して説明したように形成されており、洗浄工程はコンベアベルト５が利用されていないときと類似に進行する。
【００４３】
図６ａ〜図６ｄは、本発明の第３の実施形態に基づく小便器の足場を洗浄するための装置の概略的な詳細図である。
図６ａ〜図６ｄに示す第３の実施形態では、図１ｂに示す空隙に嵌め込まれたカートリッジ容器に符号１４が付されており、小便器の洗浄のための装置に符号１３ａが付いている。この実施形態での足場１５は、中心の軸受１６内で案内される回転盤として具体化されている。回転盤１５は、この第３の実施形態では符号１７が付いているモータによって駆動され、このモータは、据付け壁１の好ましくは後ろに取り付けられている。洗浄は、小便器Ｕの据付け壁１の好ましくは後ろに格納された旋回可能な洗浄アーム１８ａによって行われ、この洗浄アームの装備には、上述の第１および第２の実施形態の場合のように、据付け壁の後ろに取り付けられた洗浄液容器１９からの液体で湿らされる拭き取りシステムを備えた図示されていない洗浄ユニットおよび同様に図示されていない乾燥ユニットが属している。
【００４４】
洗浄工程では、回転盤１５がその中心軸の周りを進行方向Ｌ”で回転し、このとき同時に、図６ｃおよび図６ｄで矢印Ｐによって示したように、旋回可能な洗浄アーム１８ａがその休止位置から洗浄位置に移される。これは通常の旋回機構によって行われる。
【００４５】
これに関して、洗浄アーム１８ａの旋回は絶対に必要なわけではなく、基礎構造壁１００に対する間隔ｄが相応に大きければ、洗浄アーム１８ａを壁の後ろで定置式に設けてもよいことにも触れておく。
【００４６】
その他の点では、第３の実施形態に基づく装置１３ａの機能と方式は既に説明した第１および第２の実施形態の機能と方式に類似している。
図７ａ〜図７ｄは、本発明の第４の実施形態に基づく小便器の足場を洗浄するための装置の概略的な詳細図である。
【００４７】
本発明の第４の実施形態では、第３の実施形態の場合と構造が類似しており、違いは洗浄ユニット２１が小便器Ｕの下で据付け壁１に接して取り付けられていることであり、この洗浄ユニットの装備には、同様に拭き取りシステム２２および乾燥ユニット２３が属している。モータ１７および洗浄剤用の液体容器１９は、ここでも据付け壁１の後ろに取り付けられるのが好ましい。
【００４８】
その他の点では、第４の実施形態は上で説明した第３の実施形態と同じである。
図８ａ〜図８ｄは、本発明の第５の実施形態に基づく小便器の足場を洗浄するための装置の概略的な詳細図である。
【００４９】
第５の実施形態では、図７ｃに示す洗浄装置１３ａは、図１ｂに示す据付け壁１の前にある空隙１ｂ’内に配置されている。
その他の点では、第５の実施形態は第４の実施形態と同じである。
【００５０】
図８ｃ、図８ｄに示す変形例では洗浄ユニットに符号２１ａが付されており、電気モータ１７および洗浄剤用の液体容器１９が洗浄ユニット２１ａに内蔵されている点で洗浄ユニット２１とは異なっている。
【００５１】
図９ａ〜図９ｃは、本発明の第６の実施形態に基づく小便器の足場を洗浄するための装置の概略的な詳細図である。
図９ａ〜図９ｃでは、図３に示す実施形態に関連して、どのようにして追加的なセンサー機構が洗浄工程を制御することができ、かつ利用者またはその他の人がその上に留まっている間にコンベアベルト５または回転盤１５が移動するのを防止できるかを図解している。
【００５２】
センサー機構はセンサー２７を含んでおり、このセンサーは、例えば赤外線またはレーダ波に基づいて動作し、かつ反射分析装置２８を介して小便器Ｕの周辺エリア２９を走査する。
【００５３】
特に好ましいのは、既に上で説明した重量センサーをセンサー２７および反射分析ユニット２８と組み合わせることであり、これにより、様々な運用の事例への適合が可能になる。例えば、利用者として子供を検出した場合に重量センサー１２をより少ない重量に切り替えることができる。
【００５４】
もちろん、これに加えてまたはその代わりに他のセンサー、例えば誘導型センサーなどを使用してもよい。
本発明を好ましい例示的な実施形態に基づいて説明してきたが、本発明はこの例示的な実施形態に制限されるものではない。特に、記載した配置構成はただの例であり、説明した例に制限されるわけではない。
【図１ａ】
2014531548.tif 000003
【図１ｂ】
2014531548.tif 000004
【図２ａ】
2014531548.tif 000005
【図２ｂ】
2014531548.tif 000006
【図２ｃ】
2014531548.tif 000007
【図２ｄ】
2014531548.tif 000008
【図３ａ】
2014531548.tif 000009
【図３ｂ】
2014531548.tif 000010
【図３ｃ】
2014531548.tif 000011
【図３ｄ】
2014531548.tif 000012
【図４ａ】
2014531548.tif 000013
【図４ｂ】
2014531548.tif 000014
【図４ｃ】
2014531548.tif 000015
【図４ｄ】
2014531548.tif 000016
【図５ａ】
2014531548.tif 000017
【図５ｂ】
2014531548.tif 000018
【図５ｃ】
2014531548.tif 000019
【図５ｄ】
2014531548.tif 000020
【図６ａ】
2014531548.tif 000021
【図６ｂ】
2014531548.tif 000022
【図６ｃ】
2014531548.tif 000023
【図６ｄ】
2014531548.tif 000024
【図７ａ】
2014531548.tif 000025
【図７ｂ】
2014531548.tif 000026
【図７ｃ】
2014531548.tif 000027
【図７ｄ】
2014531548.tif 000028
【図８ａ】
2014531548.tif 000029
【図８ｂ】
2014531548.tif 000030
【図８ｃ】
2014531548.tif 000031
【図８ｄ】
2014531548.tif 000032
【図９ａ】
2014531548.tif 000033
【図９ｂ】
2014531548.tif 000034
【図９ｃ】
2014531548.tif 000035
【国際調査報告】
2014531548.tif 000036
2014531548.tif 000037
2014531548.tif 000038
2014531548.tif 000039
2014531548.tif 000040
2014531548.tif 000041